(57)【要約】【課題】安価かつ高精度にコリメータレンズを複数同時調整可能な光源装置を提供する。【解決手段】半導体レーザ２ａ，２ｂとコリメータレンズ３ａ，３ｂと光源保持部１ａ，１ｂとを備えた光源部を複数有し、複数の光源部は互いの光軸が平行でかつ光軸に対して垂直な同一直線上に配置されている光源装置において、光源保持部１ａ，１ｂは、コリメータレンズ３ａ，３ｂの外周面と対向しコリメータレンズ３ａ，３ｂを挟み込むようにして接着するための一対の接着部（レンズ保持部４ａ〜４ｄ）をそれぞれ有し、光源保持部１ａ，１ｂがそれぞれ有するレンズ保持部４ａ〜４ｄは、コリメータレンズ３ａ，３ｂの配列方向と同一直線上に設けられている。【選択図】図１
2008070614.tif 000002
【特許請求の範囲】
【請求項１】
光源と、前記光源から出射される光を平行化するコリメータレンズと、前記光源を保持し前記コリメータレンズを接着固定するための筒形状の光源保持部と、を備えた光源部を複数有し、前記複数の光源部は互いの光軸が平行でかつ光軸に対して垂直な同一直線上に配置されている光源装置において、
前記複数の筒形状の光源保持部は、前記コリメータレンズの外周面と対向し前記コリメータレンズを挟み込むようにして接着するための一対の接着部をそれぞれ有し、前記複数の筒形状の光源保持部がそれぞれ有する一対の接着部は、前記複数の光源部の配列方向と同一直線上に設けられていることを特徴とする光源装置。
【請求項２】
前記一対の接着部は、前記コリメータレンズの中心に対して対称な接着面を有することを特徴とする請求項１記載の光源装置。
【請求項３】
光源と、前記光源から出射される光を平行化するコリメータレンズと、前記光源を保持し前記コリメータレンズを接着固定するための光源保持部と、を備えた光源部を複数有し、前記複数の光源部のうち少なくとも２つの光源部が互いの光軸が平行でかつ光軸に対して垂直な同一直線上に配置されている第１光源群と、前記第１光源群の光源部とは別に少なくとも２つの光源部が互いの光軸が平行でかつ光軸に対して垂直な同一直線上に配置されている第２光源群と、を備える光源装置であって、
前記第１光源群の光源部と前記第２光源群の光源部とは、各々の配列方向が互いに平行であり、各々の光軸を含む平面が互いに交差しており、
前記複数の光源保持部は、前記コリメータレンズの外周面と対向し前記コリメータレンズを挟み込むようにして接着するための一対の接着部をそれぞれ有し、前記第１光源群の光源保持部が有する一対の接着部は、前記第１光源群の光源部の配列方向と同一直線上に設けられており、前記第２光源群の光源保持部が有する一対の接着部は、前記第２光源群の光源部の配列方向と同一直線上に設けられていることを特徴とする光源装置。
【発明の詳細な説明】
【技術分野】
【０００１】
本発明は、例えば電子写真プロセスを有するレーザビームプリンタやデジタル複写機等の画像形成装置に好適な光源装置に関するものである。
【背景技術】
【０００２】
近年、高速又は高精細な画像を得る為に、複数の感光体上でビーム光を走査する光学走査装置が実用化されている。
【０００３】
光学走査装置について、図１４を用いて説明する。なお、図において左右に二つ備えた光学系は同じ走査をするため、以下は図１４の右側に書かれた光学走査装置を用いて説明する。
【０００４】
図１４のマルチビーム光学走査装置では、光源としての半導体レーザ３９Ｃ，３９Ｍから出射されたビームは、シリンドリカルレンズ３７Ｃ，３７Ｍを通り、偏向器に組みつけられたポリゴンミラー３１ａの異なる面によって走査される。ポリゴンミラー３１ａによって走査されたビームはそれぞれ走査レンズ３２Ｃ，３２Ｍを透過し、折り返しミラー３３Ｃ，３３Ｍによって反射されて、不図示の感光ドラムに結像される。
【０００５】
図１４の光学走査装置に用いられる光源装置の例として、例えば特許文献１に記載された、光源である複数の半導体レーザと各々の前記半導体レーザから出射されたレーザ光を略平行光化する複数のコリメータレンズとから構成される光源装置が提案されている。
【０００６】
前記光源装置を図１５を用いて説明する。図１５に示すように、各々の半導体レーザ３９Ｃ，３９Ｍ及びコリメータレンズ２０３Ｃ，２０３Ｍを保持するホルダ部材２０２は、コリメータレンズ支持部２２５を有している。そして、前記光源装置においては、コリメータレンズ支持部２２５が、コリメータレンズ２０３Ｃ，２０３Ｍの外周に対して、ある特定の円弧領域３箇所でコリメータレンズ２０３Ｃ，２０３Ｍをそれぞれ部分的に接着固定している３点支持の構成である。
【０００７】
また低コスト化，コンパクト化を目指した、特許文献２に示すような光学走査装置もある。図１６にその光学走査装置を示す。
【０００８】
感光ドラム９１１〜９１４等の下部に光学走査装置３００を配置しており、光学走査装置３００は１枚のポリゴンミラー３１０に対して両側にそれぞれ２本のビームが入射し、各々の感光ドラム９１１〜９１４に露光する方式である。ここで、光学走査装置３００は小型化を達成するために斜入射光学系を用いており、レーザ光束は、ポリゴンミラー３１０の偏向面に対し副走査断面内で斜め方向から入射する光学系である。
【０００９】
図１７に前記光学走査装置に用いられる光源装置を示す。
【００１０】
３０１はレーザホルダで、半導体レーザ３０２，３０３を鏡筒保持部３０１ａ，３０１ｂで保持している。ここで、鏡筒保持部３０１ａ，３０１ｂは半導体３０２，３０３の光路を互いに副走査方向に所定角度θを持って交差するように光軸を傾斜させて設けられている。鏡筒保持部３０１ａ，３０１ｂの先端部には、半導体レーザから出射したビームを略平行光化するコリメータレンズ３０６，３０７に対するコリメータレンズ支持部３０１ｅ，３０１ｆが設けられている。
【特許文献１】特開２００４−０９５９９４号公報
【特許文献２】特開２００４−２７１９０６号公報
【発明の開示】
【発明が解決しようとする課題】
【００１１】
上記従来例であげた２つの光学走査装置は各々非常に有効なもので有るが、それぞれコリメータレンズ調整に関して未解決の課題も残されていた。
【００１２】
特許文献１においては、隣り合うコリメータレンズ２０３Ｃ，２０３Ｍは、それぞれ図１８に示すような３方向から開閉されるチャック２３０，２３１によって把持され、調整、接着される。そのため、隣り合うコリメータレンズを同時にクランプするスペースがなく、１つずつ調整する必要があった。
【００１３】
一方、特許文献２においても、２つのコリメータレンズを調整するのは難しい。
【００１４】
この構成は斜入射光学系である。このため、２つのコリメータレンズを１つのスポット観察系で観察しようとすると、スポット観察系上では、それぞれ別の位置に結像してしまい、複数のスポット観察系を用いる、もしくはスポット観察系を移動可能にして、別々に観察するなどの対策が必要である。このように斜入射光学系では、工具規模が大きくなったり、タクトが長くなるなどの課題がある。
【００１５】
これらの要因で、コリメータレンズの２個同時調整は実現が困難だった。
【００１６】
本発明は上記したような事情に鑑みてなされたものであり、安価かつ高精度にコリメータレンズを複数同時調整可能な光源装置を提供することを目的とする。
【課題を解決するための手段】
【００１７】
上記目的を達成するために本発明にあっては、
光源と、前記光源から出射される光を平行化するコリメータレンズと、前記光源を保持し前記コリメータレンズを接着固定するための筒形状の光源保持部と、を備えた光源部を複数有し、前記複数の光源部は互いの光軸が平行でかつ光軸に対して垂直な同一直線上に配置されている光源装置において、
前記複数の筒形状の光源保持部は、前記コリメータレンズの外周面と対向し前記コリメータレンズを挟み込むようにして接着するための一対の接着部をそれぞれ有し、前記複数の筒形状の光源保持部がそれぞれ有する一対の接着部は、前記複数の光源部の配列方向と同一直線上に設けられていることを特徴とする。
【００１８】
また、光源と、前記光源から出射される光を平行化するコリメータレンズと、前記光源を保持し前記コリメータレンズを接着固定するための光源保持部と、を備えた光源部を複数有し、前記複数の光源部のうち少なくとも２つの光源部が互いの光軸が平行でかつ光軸に対して垂直な同一直線上に配置されている第１光源群と、前記第１光源群の光源部とは別に少なくとも２つの光源部が互いの光軸が平行でかつ光軸に対して垂直な同一直線上に配置されている第２光源群と、を備える光源装置であって、
前記第１光源群の光源部と前記第２光源群の光源部とは、各々の配列方向が互いに平行であり、各々の光軸を含む平面が互いに交差しており、
前記複数の光源保持部は、前記コリメータレンズの外周面と対向し前記コリメータレンズを挟み込むようにして接着するための一対の接着部をそれぞれ有し、前記第１光源群の光源保持部が有する一対の接着部は、前記第１光源群の光源部の配列方向と同一直線上に設けられており、前記第２光源群の光源保持部が有する一対の接着部は、前記第２光源群の光源部の配列方向と同一直線上に設けられていることを特徴とする。
【発明の効果】
【００１９】
本発明によれば、安価かつ高精度にコリメータレンズを複数同時調整可能な光源装置を提供することが可能となる。
【発明を実施するための最良の形態】
【００２０】
以下に図面を参照して、この発明を実施するための最良の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【実施例１】
【００２１】
図１は、実施例１の光源装置を表す図表である。図１（ａ）は光源装置をレーザ光出射側から見た図、図１（ｂ）は図１（ａ）に示す光源装置のＡ−Ａ断面図、図１（ｃ）はレンズ保持部の拡大図である。
【００２２】
同図において、１は光源保持部材としてのレーザホルダであり、２ａ，２ｂは光源としての半導体レーザ、３ａ，３ｂは半導体レーザ２ａ，２ｂと同数のコリメータレンズである。
【００２３】
レーザホルダ１は、略円筒形状をした光源保持部１ａ，１ｂを有しており、その一端に半導体レーザ２ａ，２ｂが圧入等の公知の技術によって取り付けられており、他端にコリメータレンズ３ａ，３ｂが、後述する接着によって固定されている。なお、図１においては、光源保持部１ａ，１ｂは一体に形成されているが、各々独立した円筒形状としても良い。
【００２４】
また、半導体レーザ２ａとコリメータレンズ３ａと光源保持部１ａとからなる光源部の光軸と、半導体レーザ２ｂとコリメータレンズ３ｂと光源保持部１ｂとからなる光源部の光軸が、互いに略平行になるように配置されている。そして、光源保持部１ａ，１ｂも略平行に配置されている。また、半導体レーザ２ａとコリメータレンズ３ａと光源保持部１ａとからなる光源部と、半導体レーザ２ｂとコリメータレンズ３ｂと光源保持部１ｂとからなる光源部は、光軸に対して略垂直な同一直線上に配置されている。
【００２５】
光源保持部１ａ，１ｂの先端には各半導体レーザ２ａ，２ｂから出射された光束を所望のビーム形状に制限する絞り部１ｃ，１ｄがある。
【００２６】
また、コリメータレンズ３ａ，３ｂは、光源保持部１ａ，１ｂから突出した接着部としてのレンズ保持部４ａ〜４ｄに接着固定されている。なお、レンズ保持部４ａ〜４ｄは、光源保持部１ａ，１ｂに設けられている。
【００２７】
レンズ保持部４ａ〜４ｄは、コリメータレンズ３ａ，３ｂにそれぞれ対応する一対のレンズ接着面、すなわち、コリメータレンズ３ａ，３ｂの外周面と対向しそれぞれのコリメータレンズを挟み込むようにして接着するための一対のレンズ接着面を有している。ここで、コリメータレンズ３ａにレンズ接着面８０ａ，８０ｂが対応し、コリメータレンズ３ｂにレンズ接着面８１ａ，８１ｂが対応している。そして、レンズ保持部４ａ〜４ｄは、コリメータレンズ３ａ，３ｂの配列方向に略同一直線上に配置されていることを特徴としている。さらに、レンズ接着面８０ａ，８０ｂ，８１ａ，８１ｂは、コリメータレンズ３ａ，３ｂのコバ部に対向し、かつコリメータレンズ３ａ，３ｂの中心に対して略左右対称であることを特徴とする。さらに、レンズ保持部４ａ〜４ｄ上には、接着剤の塗布に用いる切り欠き部５ａ〜５ｄを有している。
【００２８】
尚、光源保持部１ａ，１ｂが図１のように一体で形成される場合には、レンズ保持部４ｂとレンズ保持部４ｃ，切り欠き部５ｂと切り欠き部５ｃは一体となってもよい。これは後述する他の実施例についても同様である。
【００２９】
図２において、６ａ，６ｂはレンズ仮置き部である。なお図２（ａ）はレーザ光出射側から見た図であり、説明のためにコリメータレンズ３ａ，３ｂは省略してある。図２（ｂ）は図１（ｂ）に示す断面図を拡大した図であり、図２（ｂ）の左側は、後述の調整工程においてコリメータレンズ３ａが称呼位置に配置されている状態、右側はコリメータレンズ３ｂがレンズ仮置き部６ｂに置かれている状態である。
【００３０】
レンズ仮置き部６ａは、半導体レーザ２ａとコリメータレンズ３ａで形成される光軸に対して略垂直な平面を持ち、レンズ仮置き部６ｂは、半導体レーザ２ｂとコリメータレンズ３ｂで形成される光軸に対して略垂直な平面を持つ。
【００３１】
尚、レンズ仮置き部６ａ，６ｂが形成する平面は、コリメータレンズ３ａ，３ｂの称呼位置よりも半導体レーザ側にある。
【００３２】
また、７ａ，７ｂはレンズ規制部である。レンズ規制部７ａ，７ｂは、コリメータレンズの半径より僅かに大きい内接円８２ａ，８２ｂを形成する壁を持つ。
【００３３】
次に、図１で示した光源装置を搭載する光学走査装置について説明する。
【００３４】
図３は実施例１の光学装置を表す図である。なお、左右に二つ備えた光学系は同じ走査をするため、以下は図３の右側に書かれた光学走査装置を用いて説明する。
【００３５】
１はレーザホルダ，２ａ，２ｂは半導体レーザ、３ａ，３ｂはコリメータレンズ、８はシリンドリカルレンズ、９はポリゴンミラー、１０は複数の走査レンズ、１１は複数の折り返しミラー、１２は光学箱である。ここで、レーザホルダ１、シリンドリカルレンズ８、ポリゴンミラー９、走査レンズ１０、折り返しミラー１１は光学箱１２に圧入、接着、ネジ締結などの公知の技術によって固定されている。
【００３６】
次に、本光学走査装置の動作について説明する。
【００３７】
半導体レーザ２ａ，２ｂはレーザ光束を出射し、コリメータレンズ３ａ，３ｂによってこのレーザ光束は平行又は規定の収束若しくは発散光束に変換され、シリンドリカルレンズ８によってポリゴンミラー９の反射面上に結像される。ポリゴンミラー９は回転し、レーザ光束を偏向する。そして、ポリゴンミラー９によって偏向されたレーザ光束は走査レンズ１０を通過し、折り返しミラー１１で光路変更して、不図示の感光ドラムに結像される。
【００３８】
次に、本実施例の光源装置の調整方法について説明する。
【００３９】
本光源装置は、コリメータレンズ３ａ，３ｂの位置をＸ，Ｙ，Ｚ３軸方向に移動させることによって、半導体レーザ２ａ，２ｂとコリメータレンズ３ａ，３ｂの光軸調整及びピント調整を行う。
【００４０】
調整手順としては、まずコリメータレンズ３ａ，３ｂが、図４（ａ）に示すように、レンズ規制部７ａ，７ｂの内側でレンズ仮置き部６ａ，６ｂ上に仮置きされる。次に、図４（ｂ）のレーザ光出射側から見た拡大図に示すように、コリメータレンズ３ａ，３ｂがＹ方向に開閉するチャック１３，１４によって把持される。尚、チャック１３，１４は不図
示の３軸ステージに連結されており、Ｘ，Ｙ，Ｚ３軸方向に移動可能になっている。そして、コリメータレンズ３ａ，３ｂは、チャック１３，１４によって仮置き位置から称呼位置まで光軸方向に移動し、その状態で半導体レーザ２ａ，２ｂが発光される。
【００４１】
すると、半導体レーザ２ａ，２ｂから出射し、コリメータレンズ３ａ，３ｂによって略平行光化されたレーザ光は、不図示のスポット観察系上に結像する。このスポット観察系上のレーザスポットの結像状態を観察しながら不図示の３軸ステージを動かすことによって、コリメータレンズ３ａ，３ｂを位置変位させ、光軸調整及びピント調整を行う。
【００４２】
調整終了後、レンズ保持部４ａ〜４ｄ上の切り欠き部５ａ〜５ｄに光硬化型接着剤を塗布し、図４（ｃ）に示すように接着剤硬化用の光を照射して光硬化型接着剤を硬化させる。このようにして、コリメータレンズ３ａ，３ｂとレンズ接着面８０ａ，８０ｂ，８１ａ，８１ｂを固定して調整を終了する。
【００４３】
尚、光硬化型接着剤は調整前にあらかじめ塗布しておいても良い。
【００４４】
尚、切り欠き部５ａ〜５ｄに接着剤を塗布することにより、コリメータレンズ３ａとレンズ接着面８０ａ，８０ｂ、コリメータレンズ３ｂとレンズ接着面８１ａ，８１ｂの隙間に接着剤が充填される。
【００４５】
さらに、レンズ接着面８０ａ，８０ｂ，８１ａ，８１ｂはコリメータレンズ３ａ，３ｂの中心に対して略左右対称であるので、左右均等に接着剤が充填され、接着剤の硬化収縮による変動を抑えることができ、高精度な組立てが実現できる。
【００４６】
本実施例の特徴は、コリメータレンズ３ａ，３ｂの調整と接着固定が同時にできることである。本実施例では、レンズ接着面８０ａ，８０ｂ，８１ａ，８１ｂが、コリメータレンズ３ａ，３ｂの配列方向に略同一直線上に並んでいる。これにより、コリメータレンズ３ａ，３ｂの配列方向と略垂直な方向にスペースができる。
【００４７】
したがって、コリメータレンズの配列方向と略垂直な方向に開閉するチャック１３，１４を用いることにより、図４（ｂ）に示すようにコリメータレンズ３ａ，３ｂを同時に把持することが可能となった。それにより、コリメータレンズ３ａ，３ｂを同時に調整し、接着固定させることができる。
【００４８】
尚、本実施例では、レンズ接着部形状は平面で描いているが、これに限るものではなく、コリメータレンズの中心に対して略左右対称であれば良いので、図５に示すレンズ接着部１５ａ〜１５ｄのような円弧形状でも良い。尚、これは後述するほかの実施例についても同様である。
【００４９】
尚、本実施例では、レンズ仮置き部は、複数の突起部で構成しているが、半導体レーザとコリメータレンズで形成される光軸に略垂直な平面であれば良いので、図６に示すレンズ仮置き部１６ａ，１６ｂのように１つの突起部でも構わない。また、図７に示すレンズ仮置き部１６ｃ，１６ｄのように凹部でも構わない。尚、これは後述するほかの実施例についても同様である。
【００５０】
尚、本実施例では、レンズ規制部は、複数の突起部で構成しているが、コリメータレンズの半径より僅かに大きい内接円を形成する壁を持てば良いので、図７に示すレンズ規制部１７ａ，１７ｂのように１つの突起部でも構わない。尚、これは後述するほかの実施例についても同様である。
【００５１】
尚、本実施例では、半導体レーザとコリメータレンズは２つずつ配置されていたが、これに限るものではない。すなわち、半導体レーザとコリメータレンズからなる光源部が、略同一直線上に配置され、互いの光軸が略平行になるように配置されており、レンズ保持部がコリメータレンズの配列方向と略同一直線上に配置されていれば良い。したがって、複数であれば、半導体レーザとコリメータレンズの数に制限は無く、図８に示すような構成でも構わない。この構成を用いれば、コリメータレンズの配列方向と略垂直な方向にチャックが入るスペースができるので、複数のコリメータレンズを同時に把持することが可能であり、複数同時調整が実現できる。
【００５２】
以上説明したように、本実施例によれば、工具規模やタクトの増大を招くこと無く、コリメータレンズを複数同時調整可能な、安価かつ高精度な光源装置を提供することができる。
【実施例２】
【００５３】
図９，図１０は、実施例２の光源装置を表す図である。
【００５４】
本実施例では、第１光源部と第２光源部で構成される第１光源群と、第３光源部と第４光源部で構成される第２光源群を有する。ここで、第１光源部は、半導体レーザ５２ａとコリメータレンズ５３ａと光源保持部５１ａとで構成されている。また、第２光源部は、半導体レーザ５２ｂとコリメータレンズ５３ｂと光源保持部５１ｂとで構成されている。また、第３光源部は、半導体レーザ５２ｃとコリメータレンズ５３ｃと光源保持部５１ｃとで構成されている。また、第４光源部は、半導体レーザ５２ｄとコリメータレンズ５３ｄと光源保持部５１ｄとで構成されている。尚、第１光源群において第１光源部の光軸９６と第２光源部の光軸９７は略平行であり、第２光源群において第３光源部の光軸９８と第４光源部の光軸９９は略平行である。また、第１光源部と第２光源部は、光軸９６（９７）に対して略垂直な同一直線上に配置されており、第３光源部と第４光源部は、光軸９８（９９）に対して略垂直な同一直線上に配置されている。そして、光軸９６と光軸９８、光軸９７と光軸９９は、互いに交差するよう配置されている。また、第１光源群の光源部と第２光源群の光源部とは、各々の配列方向が互いに略平行であり（第２光源群を構成する光源部は、第１光源群を構成する光源部の配列方向に略平行に配置されている）、各々の光軸を含む平面が互いに交差している。ここで、半導体レーザ５２ａ〜５２ｄは、光源を構成している。
【００５５】
図１０（ａ）は光源装置をレーザ出射側から見た図であり、図１０（ｂ）は光源装置の右側面図である。
【００５６】
５１は光源保持部材としてのレーザホルダであり、これら第１，第２光源群を保持する。そして、コリメータレンズ５３ａ〜５３ｄはそれぞれ、光源保持部５１ａ〜５１ｄ本体から突出した接着部としてのレンズ保持部５４ａ〜５４ｈに接着固定されている。なお、レンズ保持部５４ａ〜５４ｈは、光源保持部５１ａ〜５１ｄに設けられている。この点について以下に説明する。
【００５７】
レンズ保持部５４ａ〜５４ｄは、コリメータレンズ５３ａ，５３ｂにそれぞれ対応する一対のレンズ接着面を有している。すなわち、レンズ保持部５４ａ〜５４ｄは、コリメータレンズ５３ａ，５３ｂの外周面と対向しそれぞれのコリメータレンズを挟み込むようにして接着するための一対のレンズ接着面を有している。ここで、コリメータレンズ５３ａにレンズ接着面９０ａ，９０ｂが対応し、コリメータレンズ５３ｂにレンズ接着面９１ａ，９１ｂが対応している。そして、レンズ保持部５４ａ〜５４ｄは、コリメータレンズ５３ａ，５３ｂの配列方向と略同一直線上に配置されていることを特徴としている。さらに、レンズ接着面９０ａ，９０ｂ，９１ａ，９１ｂは、コリメータレンズ５３ａ，５３ｂの
コバ部に対向し、かつコリメータレンズ５３ａ，５３ｂの中心に対して略左右対称であることを特徴とする。
【００５８】
レンズ保持部５４ｅ〜５４ｈは、コリメータレンズ５３ｃ，５３ｄにそれぞれ対応する一対のレンズ接着面を有している。すなわち、レンズ保持部５４ｅ〜５４ｈは、コリメータレンズ５３ｃ，５３ｄの外周面と対向しそれぞれのコリメータレンズを挟み込むようにして接着するための一対のレンズ接着面を有している。ここで、コリメータレンズ５３ｃにレンズ接着面９２ａ，９２ｂが対応し、コリメータレンズ５３ｄにレンズ接着面９３ａ，９３ｂが対応している。そして、レンズ保持部５４ｅ〜５４ｈは、コリメータレンズ５３ｃ，５３ｄの配列方向と略同一直線上に配置されていることを特徴としている。さらに、レンズ接着面９２ａ，９２ｂ，９３ａ，９３ｂは、コリメータレンズ５３ｃ，５３ｄのコバ部に対向し、かつコリメータレンズ５３ｃ，５３ｄの中心に対して略左右対称であることを特徴とする。
【００５９】
次に、図９，１０で示した光源装置を搭載する光学走査装置について説明する。
【００６０】
図１１は、実施例２の光学走査装置を表す図である。
【００６１】
５２ａ〜５２ｄは半導体レーザ、５３ａ〜５３ｄはコリメータレンズ、５８はシリンドリカルレンズ、５９はポリゴンミラー、６０ａ，６０ｂは複数の走査レンズ、６１ａ，６１ｂは複数の折り返しミラー、６２は光学箱である。ここで、レーザホルダ５１、シリンドリカルレンズ５８、ポリゴンミラー５９、走査レンズ６０ａ，６０ｂ、折り返しミラー６１ａ，６１ｂは光学箱６２に圧入、接着、ネジ締結などの公知の技術によって固定されている。
【００６２】
本実施例の光学走査装置が実施例１と異なる点は、斜入射光学系を採用していることである。
【００６３】
図１１（ｂ）の断面図で示すように、本実施例の光学走査装置では、小型化を実現するために、ポリゴンミラー５９を出射した後に、折り返しミラー６１ａ，６１ｂで偏向して上下の各光路を分離することにより、不図示の各感光ドラムに露光する。そのため、図１１（ｃ）に示すように、レーザ光束は、ポリゴンミラー５９の偏向面に対し副走査断面内で斜め方向から入射する。
【００６４】
本実施例の光源装置の特徴を、図１２を用いて示す。
【００６５】
７０，７１，７２はスポット観察系、７３は通過した平行光をスポット観察系上で結像させる治具レンズである。ここで注目すべきは、コリメータ支持部を、互いの光軸が略平行なコリメータレンズの配列方向に略同一直線上に配置していることである。
【００６６】
仮にコリメータ支持部を、互いの光軸が交差するコリメータレンズの配列方向に略同一直線上に配置したとすると、同時に把持できるのは、互いの光軸が交差するコリメータレンズである。このような互いの光軸が交差するコリメータレンズを１つのスポット観察系で観察しようとすると、それぞれ別の位置に結像してしまい、図１２（ａ）に示すように観察系７０上に２つのスポットを結像させることができない。そのため、図１２（ｂ）に示すスポット観察系７１のように複数のスポット観察系を用いる、もしくはスポット観察系を移動可能にして、別々に観察するなどの対策が必要であり、工具規模が大きくなったり、タクトが長くなるなどの弊害がある。
【００６７】
それに対して、コリメータ支持部を互いの光軸が略平行なコリメータレンズの配列方向
に略同一直線上に配置すれば、互いの光軸が略平行なコリメータレンズを同時に把持できる。図１２（ｃ）に示すように互いの光軸が略平行なコリメータレンズならば、１つのスポット観察系上の、同じ位置に結像させることができるので、１つのスポット観察系７１で複数のコリメータレンズを同時に観察可能である。
【００６８】
よって、工具規模やタクトの増大を招くことなく、複数のコリメータレンズの調整と接着固定が同時にできる。
【００６９】
よって本実施例では、実施例１の効果に加え、斜入射光学系を用いた光学走査装置に最適な光源装置を安価かつ高精度に提供することを可能にする。
【００７０】
尚、本実施例では、第１光源群，第２光源群ともに半導体レーザとコリメータレンズが２つずつ配置されていたが、これに限るものではない。すなわち、各光源群を構成する半導体レーザとコリメータレンズからなる光源部が、略同一直線上に配置され、互いに略平行になるように配置されており、レンズ保持部が各光源群のコリメータレンズの配列方向と略同一直線上に配置されていれば良い。したがって、複数であれば、各光源群を構成する半導体レーザとコリメータレンズの数に制限は無く、図１３に示すような構成でも構わない。この構成を用いれば、互いの光軸が略平行なコリメータレンズを同時に把持できるので、共通の観察系を用いて複数同時調整が実現できる。
【図面の簡単な説明】
【００７１】
【図１】実施例１の光源装置を説明する図である。
【図２】実施例１のレンズ仮置き部，レンズ規制部を説明する図である。
【図３】実施例１の光学走査装置を説明する図である。
【図４】実施例１の光源装置の調整方法を説明する図である。
【図５】実施例１の光源装置の他の形態を説明する図である。
【図６】実施例１の光源装置の他の形態を説明する図である。
【図７】実施例１の光源装置の他の形態を説明する図である。
【図８】実施例１の光源装置の他の形態を説明する図である。
【図９】実施例２の光源装置を説明する図である。
【図１０】実施例２の光源装置を説明する図である。
【図１１】実施例２の光学走査装置を説明する図である。
【図１２】スポット観察系を説明する図である。
【図１３】実施例２の光源装置の他の形態を説明する図である。
【図１４】従来例の光学走査装置を説明する図である。
【図１５】従来例の光源装置を説明する図である。
【図１６】従来例の光学走査装置を説明する図である。
【図１７】従来例の光源装置を説明する図である。
【図１８】従来例の光源装置のコリメータ把持を説明する図である。
【符号の説明】
【００７２】
１  レーザホルダ
１ａ，１ｂ  光源保持部
２ａ，２ｂ  半導体レーザ
３ａ，３ｂ  コリメータレンズ
４ａ〜４ｄ  レンズ保持部
８０ａ，８０ｂ，８１ａ，８１ｂ  レンズ接着面
【図１】
2008070614.tif 000003
【図２】
2008070614.tif 000004
【図３】
2008070614.tif 000005
【図４】
2008070614.tif 000006
【図５】
2008070614.tif 000007
【図６】
2008070614.tif 000008
【図７】
2008070614.tif 000009
【図８】
2008070614.tif 000010
【図９】
2008070614.tif 000011
【図１０】
2008070614.tif 000012
【図１１】
2008070614.tif 000013
【図１２】
2008070614.tif 000014
【図１３】
2008070614.tif 000015
【図１４】
2008070614.tif 000016
【図１５】
2008070614.tif 000017
【図１６】
2008070614.tif 000018
【図１７】
2008070614.tif 000019
【図１８】
2008070614.tif 000020